(57)【要約】      （修正有）【課題】構造が簡略化でき、チルトパネルの閉回動の速度を制御できるチルトアンドシェードパネル装置を提供すること。【解決手段】ガイドレール６に摺動自在に支持されチルトパネルを車両上下方向に回動させるべくチルトパネルに連係されシェードパネルが車両前方向に移動する場合にシュー部材５２と係合してシュー部材５２と共に摺動動作する前チェック部材８１と、ガイドレール６に摺動自在に支持されチルトパネルを車両上下方向に回動させるべくチルトパネルに連係されシェードパネルが車両後方向に移動する場合にシュー部材５２と係合してシュー部材５２と共に摺動動作する後チェック部材とを有し、シュー部材５２はシュー部材５２が前チェック部材８１と共に摺動動作する際に前チェック部材８１のシュー部材５２に対する相対摺動動作を規制する規制壁５６を形成した。【選択図】図２３
2008284995.tif 000002
【特許請求の範囲】
【請求項１】
車両のルーフパネルに形成された外開口部を開閉すべく車両上下方向に回動するチルトパネルと、前記車両の天井部材に形成された内開口部を開閉すべく車両前後方向に移動するシェードパネルと、前記ルーフパネルに支持され前記シェードパネルを移動自在に案内するガイドレールと、該ガイドレールに摺動自在に支持され前記シェードパネルを車両前後方向に移動させるべく前記シェードパネルに固着されたシュー部材と、前記ガイドレールに摺動自在に支持され前記チルトパネルを車両上下方向に回動させるべく前記チルトパネルに連係され前記シェードパネルが車両前方向に移動する場合に前記シュー部材と係合して前記シュー部材と共に摺動動作する前チェック部材と、前記ガイドレールに摺動自在に支持され前記チルトパネルを車両上下方向に回動させるべく前記チルトパネルに連係され前記シェードパネルが車両後方向に移動する場合に前記シュー部材と係合して前記シュー部材と共に摺動動作する後チェック部材とを有し、前記シュー部材は前記シュー部材が前記前チェック部材と共に摺動動作する際に前記前チェック部材の前記シュー部材に対する相対摺動動作を規制する規制壁を形成した、ことを特徴する車両用サンルーフ装置。
【請求項２】
前記シュー部材は前記シェードパネルが全閉の際に前記規制壁からの規制を解除する隙間を形成した、ことを特徴とする請求項１に記載のチルトアンドシェードパネル装置。
【発明の詳細な説明】
【技術分野】
【０００１】
本発明は、ルーフパネルの外開口部を開閉するチルトパネルと、天井部材の内開口部を開閉するシェードパネルとを備えたチルトアンドシェードパネル装置に関する。
【背景技術】
【０００２】
公知のチルトアンドシェードパネル装置が後述の特許文献１に記載されている。この装置は、車両の外装を形成し、外開口部を有するルーフパネルと、ルーフパネルの下方に設けられ、外開口部に対応する内開口部を有する天井部材と、外開口部を開閉するチルトパネルと、内開口部を開閉するシェードパネルと、を備えている。チルトパネルとシェードパネルは、別々のモータ、ケーブルによって駆動される。
【特許文献１】実開平５−５６５３７号公報
【発明の開示】
【発明が解決しようとする課題】
【０００３】
しかしながら、上述の装置においては、チルトパネルとシェードパネルが別々のモータ、ケーブルによって駆動される。したがって、通常のチルトアンドシェードパネル（シェードパネルはマニュアル）に対して、モータ、ケーブルを配置するためのスペースが余分に必要となり、構造が複雑となっていた。
【０００４】
そこで本発明は上記の問題点に鑑みてなされたものであり、構造を簡略化でき、特にチルトパネルの閉回動の速度を制御できるチルトアンドシェードパネル装置を提供することを目的とする。
【課題を解決するための手段】
【０００５】
上記課題を解決するため、請求項１に記載の発明は、車両のルーフパネルに形成された外開口部を開閉すべく車両上下方向に回動するチルトパネルと、前記車両の天井部材に形成された内開口部を開閉すべく車両前後方向に移動するシェードパネルと、前記ルーフパネルに支持され前記シェードパネルを移動自在に案内するガイドレールと、該ガイドレールに摺動自在に支持され前記シェードパネルを車両前後方向に移動させるべく前記シェードパネルに固着されたシュー部材と、前記ガイドレールに摺動自在に支持され前記チルトパネルを車両上下方向に回動させるべく前記チルトパネルに連係され前記シェードパネルが車両前方向に移動する場合に前記シュー部材と係合して前記シュー部材と共に摺動動作する前チェック部材と、前記ガイドレールに摺動自在に支持され前記チルトパネルを車両上下方向に回動させるべく前記チルトパネルに連係され前記シェードパネルが車両後方向に移動する場合に前記シュー部材と係合して前記シュー部材と共に摺動動作する後チェック部材とを有し、前記シュー部材は前記シュー部材が前記前チェック部材と共に摺動動作する際に前記前チェック部材の前記シュー部材に対する相対摺動動作を規制する規制壁を形成した。
【０００６】
また、請求項２に記載の発明は、前記シュー部材は前記シェードパネルが全閉の際に前記規制壁からの規制を解除する隙間を形成した。
【発明の効果】
【０００７】
請求項１に記載の発明では、シェードパネルが移動すると、シェードパネルに設けられたシュー部材は、前チェック部材又は後チェック部材と係合してガイドレールに沿って移動する。チルトパネルは、前チェック部材又は後チェック部材の移動にともなって回動する。この構造によれば、シェードパネルの移動によってチルトパネルが回動されるので、例えば、１つのモータによってチルトパネルとシェードパネルの両方を駆動することができ、構造を簡略化できる。
【０００８】
また、チルトパネルが閉回動する際に、前チェック部材はシュー部材に形成した規制壁によりシュー部材に対する相対移動が規制されるため、チルトパネルの自重もしくはチルトパネルに外力が作用した場合でも、チルトパネルの閉回動の速度を一定に制御できる。
【０００９】
また、請求項２に記載の発明では、シュー部材はシェードパネルが全閉の際に規制壁からの規制を解除する隙間を形成するため、チルトパネルを閉じたままで、シェードパネルのみを開くことが可能になる。
【発明を実施するための最良の形態】
【００１０】
以下、本発明を実施するための最良の形態を、図面を基に説明する。
【００１１】
図１は、本発明に係るチルトアンドシェードパネル装置１を備えた自動車（車両）のルーフ２の斜視図である。ルーフ２に形成された開口部３には、チルトパネル４が設けられている。チルトパネル４の前部には、ヒンジ部４１が設けられている。チルトパネル４は、ヒンジ部４１を中心に上下方向に回動する。
【００１２】
図２は、図１におけるＡ−Ａ線に沿う概略断面図で、図２（ａ）〜（ｄ）は、チルトアンドシェードパネル装置１の作動状態をそれぞれ示す。ルーフ２は、自動車の外装を形成するルーフパネル２１と、ルーフパネル２１の下方に設けられ、自動車の車室（室内空間）の天井（内装の一部）を形成する天井部材２２と、から形成されている。ルーフパネル２１には、外開口部３１が設けられている。天井部材２２には、ルーフパネル２１の外開口部３１に対応した内開口部３２が設けられている。これらの外開口部３１と内開口部３２が、ルーフ２の開口部３（図１参照）を形成している。
【００１３】
ルーフパネル２１の外開口部３１は、チルトパネル４によって開閉される。チルトパネル４は、透明または半透明のガラス材・樹脂材等から形成され、略矩形状を成すパネルである。チルトパネル４は、ヒンジ部４１（図１参照）を中心に上下方向に回動（チルトアップ／チルトダウン）することで、ルーフパネル２１の外開口部３１を開閉する。
【００１４】
天井部材２２の内開口部３２は、シェードパネル５によって開閉される。シェードパネル５は、樹脂材等から形成された略矩形状のパネルである。チルトパネル４は、天井部材２２の内開口部３２の上方に配置されている。シェードパネル５は、前後方向に移動（スライド）することで、天井部材２２の内開口部３２を開閉する。シェードパネル５は、チルトパネル４の下方にて、天井部材２２の内開口部３２を開閉する。これにより、チルトパネル４を介した車室内への日射の射し込みが調節される。
【００１５】
図２（ａ）〜（ｄ）は、チルトアンドシェードパネル装置１の作動状態をそれぞれ示す。図２（ａ）は、全閉状態を示す。この状態においては、ルーフパネル２１の外開口部３１及び天井部材２２の内開口部３２が閉鎖されている。全閉状態において、シェードパネル５が後方に移動すると、図２（ｂ）に示す様に、天井部材２２の内開口部３２が部分的に開放される（シェードパネル半開状態）。この状態において、シェードパネル５がさらに後方に移動し、チルトパネル４が上方に回動すると、図２（ｃ）に示す様に、天井部材２２の内開口部３２及びルーフパネル２１の外開口部３１が完全に開放される（全開状態）。全開状態において、シェードパネル５が前方に移動すると、図２（ｄ）に示す様に、天井部材２２の内開口部３２が部分的に閉鎖される（シェードパネル半開状態）。この状態において、シェードパネル５がさらに前方に移動し、チルトパネル４が下方に回動すると、図２（ａ）に示す様に、ルーフパネル２１の外開口部３１及び天井部材２２の内開口部３２が閉鎖され、チルトアンドシェードパネル装置１は再び全閉状態となる。
【００１６】
図３は、チルトアンドシェードパネル装置１の正面図、図４は、チルトアンドシェードパネル装置１の分解斜視図である。なお、図４においては、チルトアンドシェードパネル装置１の右半分のみが描かれている。
【００１７】
チルトアンドシェードパネル装置１は、シェードパネル５と、ガイドレール６と、駆動機構７と、機能部品８と、チルトリンク９とを備えている。シェードパネル５は、パネル部材５１と、シュー部材５２と、から成る。パネル部材５１は、樹脂材等を用いて略矩形に形成されている。シュー部材５２は、樹脂材等から形成され、ベース部材５１における左右方向（図３示上下方向、車両の幅方向）の端部にそれぞれ取り付けられている。
【００１８】
図５は、図４において右側から見たシュー部材５２の前部５３の斜視図である。同図に示す様に、シュー部材５２の前部５３には、２つのカム溝５４、５５が設けられている。カム溝５４、５５は、シュー部材５２の前部５３における一部を切り取った様な形状、いわゆる切り欠き形状を成している。
【００１９】
カム溝５４は、シュー部材５２の前部５３のうち、下部に設けられている。カム溝５４は、前方向に開口している。カム溝５４には、傾斜面５４ａと垂直面５４ｂとが設けられている。傾斜面５４ａと垂直面５４ｂは、自動車の前側に面している。傾斜面５４ａは、垂直面５４ｂの下部と連続し、垂直面５４ｂに対し、下方に位置する。カム溝５５は、シュー部材５２の前部５３のうち、上部に設けられている。カム溝５５は、カム溝５４に対し、上方に配置されている。
【００２０】
シュー部材５２のカム溝５４には、前チェック部材８１と係合して前方に移動する際に前チェック部材８１のシュー部材５２に対する相対移動を規制する規制壁５６が形成される。また、シュー部材５２のカム溝５４には、シェードパネル５が全閉の際に前チェック部材８１が規制壁５６からの規制を解除できる隙間５７を形成する。
【００２１】
カム溝５５は、後方向に開口している。カム溝５５には、カム溝５４と同様に、傾斜面５５ａと垂直面５５ｂとが設けられている。傾斜面５５ａと垂直面５５ｂは、自動車の後側に面している。傾斜面５５ａは、垂直面５５ｂの上部と連続し、垂直面５５ｂに対し、上方に位置する。
【００２２】
ガイドレール６は、アルミ材等から形成され、前後方向（図３示左右方向、車両の前後方向）に延在している。ガイドレール６は、ルーフ２における右側（図３示上側）に設けられている。ルーフ２における左側（図３示下側）には、左右方向に関してガイドレール６と対称な構造を有するガイドレール６’が設けられている。以下の説明では、ガイドレール６についての説明を中心に行い、ガイドレール６’についての説明は必要に応じて行うこととする。
【００２３】
図６は、ガイドレール６の側面図、図７は、図６におけるＢ−Ｂ線に沿う断面図である。ガイドレール６には、ベース部６１と、縦壁６２と、上壁６３と、ガイド部６４が一体に設けられている。ベース部６１及び縦壁６２は、板状に形成されている。ベース部６１は、ルーフパネル２１（図２参照）の下方のボディパネル（図示なし）に固定される。縦壁６２は、ベース部６１から上方に延在している。縦壁６２の前部には、前チェック溝６６が設けられている。縦壁６２の後部には、後チェック溝６７が設けられている。前チェック溝６６及び後チェック溝６７は、縦壁６２を幅方向（図７示左右方向）に貫通する貫通孔である。
【００２４】
前チェック溝６６及び後チェック溝６７は、前後方向（図６示左右方向）に延在している。前チェック溝６６の後部には段部６６ａ、前部には段部６６ｂ、が設けられ、後チェック溝６７の前部には、段部６７ａが設けられている。上壁６３は、縦壁６２の上端から幅方向（図７示右側）に突出し、縦壁６２に対してひれ状（つば状）に形成されている。ガイド部６４は、その上面６４ａにて、シェードパネル５のシュー部材５２を支持し、シェードパネル５を前後方向に移動自在にガイドする。ガイド部６４には、収容空間６４ｂが設けられている。収容空間６４ｂは、前後方向に延在し、溝状に形成されている。
【００２５】
駆動機構７は、減速機付きモータ７１と、ギヤボックス７２と、ブラケット７３と、ケーブル７４と、ロッド７５と、から成る。駆動機構７は、ガイドレール６の前部に設けられている。
【００２６】
図８は、図３におけるＣ示部分の拡大図、図９は、図８におけるＤ−Ｄ線に沿う断面図、図１０は、図８におけるＥ−Ｅ線に沿う断面図、図１１は、図８におけるＦ−Ｆ線に沿う断面図である。
【００２７】
減速機付きモータ７１は、モータと減速機（ウォームギヤ）とを一体に備えた公知のものである。減速機付きモータ７１は、自動車に搭載された給電ユニット（図示なし）によって給電される。と、駆動力を発生し、出力ギヤ７１ａを介して（出力ギヤ７１ａの回転として）駆動力を出力する。出力ギヤ７１ａは、かさ歯車（はすば歯車）である。減速機付きモータ７１から出力された駆動力は、ギヤボックス７２に入力される。
【００２８】
ギヤボックス７２は、入力ギヤ７２ａと、シャフト７２ｂと、駆動ギヤ７２ｃと、ブロック７２ｄと、から成る。入力ギヤ７２ａは、かさ歯車（はすば歯車）であり、減速機付きモータ７１の出力ギヤ７１ａに噛み合っている。シャフト７２ｂは、入力ギヤ７２ａに連結され、入力ギヤ７２ａと一体に回転する。駆動ギヤ７２ｃは、平歯車であり、入力ギヤ７２ａと同軸に配置されている。駆動ギヤ７２ｃは、シャフト７２ｂに連結され、シャフト７２ｂ及び入力ギヤ７２ａと一体に回転する。シャフト７２ｂは、入力ギヤ７２ａ及び駆動ギヤ７２ｃの回転軸として機能している。ブロック７２ｄは、入力ギヤ７２ａ及び駆動ギヤ７２ｃを収容すると共にシャフト７２ｂを支持する軸受として機能するものである。
【００２９】
ブラケット７３は、金属材等を用いて形成され、ギヤボックス７２をガイドレール６に対して保持する。ブラケット７３は、ギヤボックス７２に被せられ、締結部材７３ａを用いてガイドレール６の上面に固定される。これにより、ギヤボックス７２がブラケット７３とガイドレール６との間に挟みこまれ、ギヤボックス７２がガイドレール６に対して保持される。なお、減速機付きモータ７１も、締結部材７３ａを用いて、ガイドレール６の下面に固定される。つまり、減速機付きモータ７１と、ギヤボックス７２を保持したブラケット７３とが、締結部材７３ａを用いてガイドレール６に共締めされる。これにより、減速機付きモータ７１の出力ギヤ７１ａとギヤボックス７２の入力ギヤ７２ａとの間の噛み合いが確実に保持される。
【００３０】
ケーブル７４は、駆動力伝達用の公知のものである。ケーブル７４は、上述したガイドレール６におけるガイド部６４の収容空間６４ｂ内に配置される（図７参照）。ケーブル７４の一方側は、シェードパネル５のシュー部材５２の前部５３に連結される（図４及び図５参照）。ケーブル７４は、ギヤボックス７２の駆動ギヤ７２ｃと噛み合っている。減速機付きモータ７１が給電されると、駆動ギヤ７２ｃが回転し、駆動ギヤ７２ｃに連結されたケーブル７４がガイドレール６に沿って移動する。これにより、ケーブル７４に連結されたシェードパネル５は、ガイドレール６に沿って前後方向に移動する。ケーブル７４が前方に移動する場合、ケーブル７４の他方側は、ガイドレール６の前端に取り付けられた筒状の連結部材６５を介して、ガイド部材８３内に送られる（図４参照）。ガイド部材８３は、可撓性を持ったホース状の部材である。
【００３１】
ロッド７５は、金属製の管であって、その一端７５ａは、ガイドレール６上のギヤボックス７２のシャフト７２ｂに、溶接固定される。ロッド７５は、シャフト７２ｂの回転、すなわち、駆動機構７の作動にともなって回転する。
【００３２】
なお、図１２に示す様に、上述したガイドレール６’には、左右方向に関して駆動機構７と対称な構造を有する駆動機構７’が設けられる。駆動機構７’のギヤボックス７２’は、駆動機構７のギヤボックス７２と同様な態様で、ガイドレール６’に保持される。ただし、駆動機構７’には、駆動機構７における減速機付きモータ７１に相当するモータと、入力ギヤ７２ａに相当するギヤが設けられない。駆動機構７’のシャフト７２ｂ’は、駆動機構７におけるロッド７５の他端７５ｂに溶接固定される。これにより、駆動機構７のシャフト７２ｂと駆動機構７’のシャフト７２ｂ’とが一体に回転する。つまり、ロッド７５は、ガイドレール６上の駆動機構７にて発生した駆動力をガイドレール６’上の駆動機構７’に伝達する駆動力伝達部材として機能する。さらに、ロッド７５は、ガイドレール６の前部とガイドレール６’の前部とを連結することで、ガイドレール６に対するガイドレール６’の位置を左右方向に関して規制しており（フロント側のピッチ固定）、位置規制部材としても機能する。
【００３３】
機能部品８は、前チェック部材８１と、ストッパ部材８２と、ガイド部材８３と、後チェック部材８４と、から成る。
【００３４】
図１３は、機能部品８のガイドレール６に対する配置を示す図である。同図においては、ガイドレール６が２点鎖線で描かれている。機能部品８は、上壁６３の下方に位置するようにガイドレール６に組み付けられる。なお、機能部品８は、ガイドレール６にのみ配置され、ガイドレール６’（図３参照）には配置されない。
【００３５】
図１４は、図１３におけるＧ−Ｇ線に沿う断面図、図１５は、図１３におけるＨ−Ｈ線に沿う断面図、図１６は、図１３におけるＪ−Ｊ線に沿う断面図、図１７は、図１３におけるＫ−Ｋ線に沿う断面図である。
【００３６】
前チェック部材８１は、ベース部８１ａと、連結部８１ｂとから成る。連結部８１ｂは、ベース部８１ａの前部に一体に形成されている。連結部８１ｂには、ピン８１ｃと、凸部８１ｄとが一体に設けられている。ピン８１ｃは、円形を成し、連結部８１ｂから右方（図１４示右方）に突出している。凸部８１ｄは、角型を成し、連結部８１ｂから左方（図１４示左方）に突出している。凸部８１ｄは、ガイドレール６の縦壁６２に形成された前チェック溝６６に挿通されている。凸部８１ｄと前チェック溝６６との間には、上下方向に関して若干の隙間（クリアランス）が設定される。凸部８１ｄは、シェードパネル５におけるシュー部材５２のカム溝５４（図３及び図５参照）と前方向に係合する。また、前チェック部材８１におけるベース部８１ａには、板バネ部８１ｅが設けられている（図４及び図１３参照）。板バネ部８１ｅにより、前チェック部材８１は、ガイドレール６に対し、下方向に常時付勢されている。
【００３７】
ストッパ部材８２は、樹脂製であって、ブロック状に形成されている。ストッパ部材８２は、ガイドレール６のベース部６１に取り付けられ、ガイドレール６に対して位置が保持される。ストッパ部材８２の上面は、ガイドレール６の上壁６３と対向している。ストッパ部材８２には、ガイド溝８２ａが設けられている。ガイド溝８２ａは、ガイドレール６の縦壁６２の前チェック溝６６（図６参照）とほぼ同じ形状を有している。ガイド溝８２ａには、前チェック部材８１のピン８１ｃが挿入される。ガイド溝８２ａの後部には、ガイドレール６の前チェック溝６６と同様に、段部８２ｂが設けられている。
【００３８】
ガイド部材８３は、樹脂製であって、ブロック状に形成されている。ガイド部材８３の上面は、ガイドレール６の上壁６３と対向している。ガイド部材８３の前部には、円形の連結ピン８３ａが設けられている。ガイド部材８３は、連結ピン８３ａを介して、前チェック部材８１の後部と回転自在に連結している。また、ガイド部材８３には、昇降溝８３ｂが設けられている。昇降溝８３ｂの後部は、昇降溝８３ｂの前部に対して下方に位置している。昇降溝８３ｂは、前部と後部との間に傾斜部分を有する。
【００３９】
後チェック部材８４は、樹脂製であって、ブロック状に形成されている。後チェック部材８４の前部には、円形の連結ピン８４ａが設けられている。後チェック部材８４は、連結ピン８４ａを介して、ガイド部材８３の後部と回転自在に連結している。後チェック部材８４には、凸部８４ｂが一体に設けられている。凸部８４ｂは、角型を成し、前チェック部材８１の凸部８１ｄと同様な態様で（図１４参照）、ガイドレール６の縦壁６２に形成された後チェック溝６７に挿通されている。凸部８４ｂは、シェードパネル５におけるシュー部材５２のカム溝５５（図３及び図５参照）と後方向に係合する。また、後チェック部材８４には、板バネ部８４ｃが一体に設けられている（図４及び１３参照）。板バネ部８４ｃにより、後チェック部材８４は、ガイドレール６に対し、上方向に常時付勢されている。
【００４０】
チルトリンク９は、アーム９１と、ロッド９２と、軸受台９３と、から成る。チルトリンク９は、ガイドレール６の後部に設けられている。
【００４１】
アーム９１は、金属材から形成されており、チルトパネル４を上下方向に回動させるべく、支持部９１ａを中心に上下方向に回動する。アーム９１には、円形のピン９１ｂが設けられている。ピン９１ｂは、左右方向に延在し、機能部品８におけるガイド部材８３の昇降溝８３ｂに挿入されている。アーム９１は、連結部９１ｃにて、チルトパネル４と連結される。ロッド９２は、鋼管（金属製の管）である。ロッド９２の一側９２ａは、アーム９１の支持部９１ａを貫通し、アーム９１の支持部９１ａに溶接固定されている。軸受台９３は、締結部材９３ａ（図４参照）を用いてガイドレール６に固定されている。軸受台９３は、アーム９１を貫通したロッド９２の一側９２ａを回転自在に支持している。また、軸受台９３は、左右方向に関して、アーム９１の位置を保持しており、これにより、アーム９１の回動がより安定したものとなる。
【００４２】
なお、図１８に示す様に、ガイドレール６’には、左右方向に関してチルトリンク９と対称な構造を有するチルトリンク９’が設けられる。チルトリンク９におけるロッド９２の他側９２ｂは、チルトリンク９’のアーム９１’を貫通し、アーム９１’に溶接固定されている。軸受台９３’は、チルトリンク９の軸受台９３と同様な態様により、ガイドレール６’に固定される。軸受台９３’は、アーム９１’を貫通したロッド９２の他側９２ａを回転自在に支持している。チルトリンク９におけるアーム９１が駆動力によって回動すると、この駆動力がロッド９２を介してアーム９１’に伝達される。これにより、アーム９１とアーム９１’とが一体に回動する。つまり、ロッド９２は、ガイドレール６上のアーム９１に伝達された駆動力をガイドレール６’上のアーム９１’に伝達する駆動力伝達部材として機能する。さらに、ロッド９２は、ガイドレール６の後部とガイドレール６’の後部とを連結することで、ガイドレール６に対するガイドレール６’の位置を左右方向に関して規制しており（リヤ側のピッチ固定）、上述した駆動機構７のロッド７５（図４参照）と共に、位置規制部材としても機能する。
【００４３】
次に、チルトアンドシェードパネル装置１の作動について、図１９乃至図２２を参照して説明する。図１９乃至図２２は、シェードパネル５の移動にともなう機能部品８及びチルトリンク９の動きを模式的に示す図である。
【００４４】
図１９は、チルトアンドシェードパネル装置１の全閉状態（図２（ａ）参照）を示す。シェードパネル５におけるシュー部材５２の前部５３は、機能部品８における前チェック部材８１の凸部８１ｄと後チェック部材８４の凸部８４ｂとの間に位置している。前チェック部材８１のピン８１ｃは、ストッパ部材８２におけるガイド溝８２ａの前部に位置している。前チェック部材８１の凸部８１ｄは、ガイドレール６の前チェック溝６６の前部に位置している。後チェック部材８４の凸部８４ｂは、ガイドレール６の後チェック溝６７の前部に位置し、後チェック溝６７の段部６７ａに係合している。チルトリンク９におけるアーム９１のピン９１ｂは、ガイド部材８３における昇降溝８３ｂの後部に位置している。
【００４５】
図１９に示す全閉状態において、駆動機構７が作動すると、シェードパネル５のシュー部材５２は、ガイドレール６に沿って後方に移動し、図２０に示す様に、そのカム溝５５（図５参照）にて、後チェック部材８４の凸部８４ｂと後方向に係合する。これにより、チルトアンドシェードパネル装置１は、シェードパネル半開状態（図２（ｂ）参照）となる。チルトアンドシェードパネル装置１の作動状態が全閉状態からシェードパネル半開状態に移行するまでの間は、シェードパネル５のみが動き、チルトパネル４は動かない。
【００４６】
図２０に示すシェードパネル半開状態において、シェードパネル５がさらに後方に移動すると、シュー部材５２のカム溝５５の傾斜面５５ａが、後チェック部材８４の凸部８４ｂを押し下げ、後チェック部材８４の凸部８４ｂが、ガイドレール６の後チェック溝６７の段部６７ａから離脱する。後チェック部材８４の凸部８４ｂは、後チェック溝６７の段部６７ａから離脱した後、シュー部材５２のカム溝５５の垂直面５５ｂにより、後チェック溝６７に沿って後方に押し動かされる。後チェック部材８４が後方に移動すると、後チェック部材８４と連結したガイド部材８３及び前チェック部材８１も、ガイドレール６に沿って後方に移動する。これにともなって、チルトリンク９におけるアーム９１のピン９１ｂが、ガイド部材８３の昇降溝８３ｂに沿って動かされ、アーム９１がロッド９２を中心に上方に回動する。これにより、図２１に示す様に、チルトパネル４が上方に回動し、チルトアンドシェードパネル装置１が全開状態（図２（ｃ）参照）となる。全開状態においては、前チェック部材８１の凸部８１ｄは、ガイドレール６の前チェック溝６６の段部６６ａに係合している。チルトアンドシェードパネル装置１の作動状態がシェードパネル半開状態から全開状態に移行するまでの間は、シェードパネル５の動きがチルトパネル４に伝達され、シェードパネル５とチルトパネル４が共に動く。なお、全閉状態において、ガイド部材８３は、チルトリンク９のアーム９１のピン９１ｂを介して、チルトパネル４から上方向に力を受ける。上述した様に、ガイド部材８３は、ガイドレール６の上壁６３の下方に位置しているので、ガイド部材８３に大きな力が作用しても、ガイド部材８３がガイドレール６の上壁６３によって確実に保持される。これにより、ガイド部材８３が必要とする強度が下がることとなり、例えば、ガイド部材８３を樹脂成型品とでき、コストダウンが可能となる。
【００４７】
図２１に示す全開状態において、駆動機構７が作動すると、シェードパネル５のシュー部材５２がガイドレール６に沿って前方に移動し、シュー部材５２のカム溝５５が、後チェック部材８４の凸部８４ｂから離脱する。そして、シェードパネル５のシュー部材５２がさらに前方に移動すると、図２２に示す様に、シェードパネル５は、シュー部材５２のカム溝５４（図５参照）にて、前チェック部材８１の凸部８１ｄと前方向に係合し、チルトアンドシェードパネル装置１は、シェードパネル半閉状態（図２（ｄ）参照）となる。チルトアンドシェードパネル装置１の作動状態が全開状態からシェードパネル半閉状態に移行するまでの間は、シェードパネル５のみが動き、チルトパネル４は動かない。
【００４８】
図２２に示すシェードパネル半閉状態において、シェードパネル５がさらに前方に移動すると、シュー部材５２のカム溝５４の傾斜面５４ａが前チェック部材８１の凸部８１ｄを押し上げ、前チェック部材８１の凸部８１ｄがガイドレール６の前チェック溝６６の段部６７ａから離脱する。前チェック部材８１の凸部８１ｄは、前チェック溝６６の段部６６ａから離脱した後、シュー部材５２のカム溝５４の垂直面５４ｂにより、前チェック溝６６に沿って前方に押し動かされる。前チェック部材８１が前方に移動すると、前チェック部材８１と連結したガイド部材８３及び後チェック部材８４も、ガイドレール６に沿って前方に移動する。これにともなって、チルトリンク９におけるアーム９１のピン９１が、ガイド部材８３の昇降溝８３ｂに沿って動かされ、アーム９１がロッド９２を中心に下方に回動する。これにより、図１９に示す様に、チルトパネル４が下方に回動し、チルトアンドシェードパネル装置１が全閉状態（図２（ａ）参照）となる。
【００４９】
なお、全閉状態においては、後チェック部材８４の凸部８４ｂは、ガイドレール６の後チェック溝６７の段部６７ａに係合している。チルトアンドシェードパネル装置１の作動状態がシェードパネル半閉状態から全閉状態に移行するまでの間は、シェードパネル５の動きがチルトパネル４に伝達され、シェードパネル５とチルトパネル４が共に動く。
【００５０】
図２３の（ａ）〜（ｄ）は、チルトパネル４が閉回動する際のシュー部材５２のカム溝５４と前チェック部材８１との係合状態を模式的に示したものである。チルトパネル４が閉回動する際、シュー部材５２のカム溝５４は前チェック部材８１と係合して前方に移動している。このとき、前チェック部材８１はシュー部材５２に形成した規制壁５６によりシュー部材５２に対する前方への相対移動が規制される。また、シュー部材５２は、シェードパネル５が全閉の際には、（ｄ）に示すように、ガイドレール６の前チェック溝６６の段部６６ｂで、隙間５７により前チェック部材８１との係合が解除される。
【００５１】
なお、本実施形態においては、チルトアンドシェードパネル装置１が１枚のシェードパネル（シェードパネル５）を備える例を示したが、これに限定されない。本発明は、２枚以上のシェードパネルを備えたいわゆる多板シェードパネルにも適用可能である。
【００５２】
なお、本実施形態において、チルトリンク９のロッド９２は、左右の各側に設けられたアーム９１とアーム９１’とを連結することで、ガイドレール６に対するガイドレール６’の位置を左右方向に関して規制しているが、これに限定されない。例えば、ロッド９２に相当するロッドを設け、このロッドを用いてシェードパネル５の各側のシュー部材５２同士を連結することで、ガイドレール６とガイドレール６’との左右方向のピッチを固定しても良い。この場合、当該ロッドを支持する部材（軸受台９３に相当）は、ガイドレール６（ガイドレール６’）に沿って前後方向に移動可能とする必要がある。
【００５３】
以上説明した様に、本実施形態のチルトアンドシェードパネル装置１によれば、シェードパネル５が駆動機構７の減速機付きモータ７１によって駆動される。場合に、シェードパネル５に設けられたシュー部材５２は、前チェック部材８１又は後チェック部材８４と係合することで、前チェック部材８１、ガイド部材８３及び後チェック部材８４をガイドレール６に沿って駆動する。チルトパネル４及びガイド部材８３と連結するチルトリンク９のアーム９１は、前チェック部材８１、ガイド部材８３及び後チェック部材８４の移動にともなって、チルトパネル４を回動させる。この構造によれば、シェードパネル５に係る減速機付きモータ７１によってチルトパネル４が駆動されるので、１つの減速機付きモータ７１によってチルトパネル４とシェードパネル５の両方を駆動することができる。これにより、追加の減速機付きモータを設置するためのスペースが必要なく、構造を簡略化できる。
【００５４】
また、チルトパネル４が閉回動する際に、前チェック部材８１はシュー部材５２に形成した規制壁５６によりシュー部材５２に対する相対移動が規制されるため、チルトパネル４の自重もしくはチルトパネル４に外力が作用した場合でも、チルトパネル４の閉回動の速度を一定に制御できる。
【００５５】
また、シュー部材５２はシェードパネル５が全閉の際に規制壁５６からの規制を解除する隙間５７を形成するため、チルトパネル４を閉じたままで、シェードパネル５のみを開くことが可能になる。
【図面の簡単な説明】
【００５６】
【図１】本発明に係るチルトアンドシェードパネル装置１を備えた自動車のルーフ２の斜視図。
【図２】図１におけるＡ−Ａ線に沿う概略断面図。
【図３】チルトアンドシェードパネル装置１の正面図。
【図４】チルトアンドシェードパネル装置１の分解斜視図。
【図５】図４において右側から見たシュー部材５２の前部５３の斜視図。
【図６】ガイドレール６の側面図。
【図７】図５におけるＢ−Ｂ線に沿う断面図。
【図８】図３におけるＣ示部分の拡大図。
【図９】図８におけるＤ−Ｄ線に沿う断面図。
【図１０】図８におけるＥ−Ｅ線に沿う断面図。
【図１１】図８におけるＦ−Ｆ線に沿う断面図。
【図１２】駆動機構７’の構造を示す図。
【図１３】機能部品８のガイドレール６に対する配置を示す図。
【図１４】図１３におけるＧ−Ｇ線に沿う断面図。
【図１５】図１３におけるＨ−Ｈ線に沿う断面図。
【図１６】図１３におけるＪ−Ｊ線に沿う断面図。
【図１７】図１３におけるＫ−Ｋ線に沿う断面図。
【図１８】チルトリンク９’の構造を示す図。
【図１９】シェードパネル５の移動にともなう機能部品８及びチルトリンク９の動きを模式的に示す図。
【図２０】シェードパネル５の移動にともなう機能部品８及びチルトリンク９の動きを模式的に示す図。
【図２１】シェードパネル５の移動にともなう機能部品８及びチルトリンク９の動きを模式的に示す図。
【図２２】シェードパネル５の移動にともなう機能部品８及びチルトリンク９の動きを模式的に示す図。
【図２３】チルトパネル４が閉回動する際のシュー部材５２のカム溝５４と前チェック部材８１との係合状態を模式的に示す図。
【符号の説明】
【００５７】
１  チルトアンドシェードパネル装置
４  チルトパネル
５  シェードパネル
６  ガイドレール
８  機能部品（駆動部材）
２１  ルーフパネル
２２  天井部材
３１  外開口部
３２  内開口部
５２  シュー部材
５６  規制壁
５７  隙間
８１  前チェック部材（駆動部材）
８３  ガイド部材（駆動部材）
８４  後チェック部材（駆動部材）
【図１】
2008284995.tif 000003
【図２】
2008284995.tif 000004
【図３】
2008284995.tif 000005
【図４】
2008284995.tif 000006
【図５】
2008284995.tif 000007
【図６】
2008284995.tif 000008
【図７】
2008284995.tif 000009
【図８】
2008284995.tif 000010
【図９】
2008284995.tif 000011
【図１０】
2008284995.tif 000012
【図１１】
2008284995.tif 000013
【図１２】
2008284995.tif 000014
【図１３】
2008284995.tif 000015
【図１４】
2008284995.tif 000016
【図１５】
2008284995.tif 000017
【図１６】
2008284995.tif 000018
【図１７】
2008284995.tif 000019
【図１８】
2008284995.tif 000020
【図１９】
2008284995.tif 000021
【図２０】
2008284995.tif 000022
【図２１】
2008284995.tif 000023
【図２２】
2008284995.tif 000024
【図２３】
2008284995.tif 000025